【手続補正書】
【提出日】平成28年11月10日(2016.11.10)
【手続補正１】
【補正対象書類名】特許請求の範囲
【補正対象項目名】全文
【補正方法】変更
【補正の内容】
【特許請求の範囲】
【請求項１】
基地局のワイヤレス通信の方法であって、
ＵＥへの電力供給をオンおよびオフにすることに起因して消費される電力、遅延センシティブなＷＡＮトラフィックの割合、ハイブリッド自動再送要求（ＨＡＲＱ）送信、またはエリアのＵＥの密度のうちの少なくとも１つに基づいて、整数値Ｋを決定することと、
前記基地局の少なくとも１つのプロセッサが、ピア発見期間においてＷＡＮ通信およびピアツーピア通信にサブフレームの前記整数値Ｋ個のブロックを割り振り、前記ＷＡＮ通信に前記ピア発見期間中の残りのサブフレームを割り振ることと、前記Ｋ個のブロックの各ブロックは、複数のサブフレームを備える、
前記Ｋ個のブロックの各ブロックにおいて、前記ピアツーピア通信に前記複数のサブフレームのうちのサブフレームの第１のセットを割り振り、前記ＷＡＮ通信に前記複数のサブフレームのうちのサブフレームの第２のセットを割り振ることと、
サブフレームの前記Ｋ個のブロックの各々において前記ＷＡＮ通信に割り振られたサブフレームの前記第２のセットのうちの１つまたは複数のサブフレーム中、ＵＥからのアップリンク送信を監視することと、
を備える方法。
【請求項２】
前記ＷＡＮ通信にサブフレームの前記第２のセットを割り振ることは、前記ピアツーピア通信のためのｋ個の隣接サブフレームの少なくとも１つのセットの各々の後に前記ＷＡＮ通信のためのｍ個のサブフレームが続くように、前記Ｋ個のブロックの各々において前記ＷＡＮ通信にｍ×Ｌ個のサブフレームを割り振ることを備え、Ｌは、前記Ｋ個のブロックの各々中の、前記ｍ個のサブフレームが続く前記ｋ個の隣接サブフレームのセットの数を表し、ｍ、Ｌ、およびｋは、整数である、請求項１に記載の方法。
【請求項３】
サブフレームの前記Ｋ個のブロックの各々中の、前記ＷＡＮ通信に割り振られた前記ｍ×Ｌ個のサブフレームが、音声サービス、前記ＨＡＲＱ送信、または制御情報送信のうちの少なくとも１つをサポートする、請求項２に記載の方法。
【請求項４】
前記ピア発見期間内で前記ピアツーピア通信のために必要とされるＭ個のサブフレームを決定することと、
サブフレームの前記Ｋ個のブロックの各々中に含まれるべきＤ個のサブフレームの最大値を決定することと、ＭおよびＤは、整数である、
Ｍ≦（Ｋ×ｋ×Ｌ）およびＤ≧（ｋ＋ｍ）×Ｌとなるように、Ｋ、ｋ、ｍ、およびＬの値を設定することと、
をさらに備える、請求項２に記載の方法。
【請求項５】
Ｔは、前記ピア発見期間の時間期間であり、ＷＡＮトラフィックのアウテージ確率が比（Ｋ×ｋ×Ｌ）／Ｔに基づき、前記方法が、前記ＷＡＮトラフィックの前記アウテージ確率を制御するために前記ピア発見期間を調整することをさらに備える、請求項４に記載の方法。
【請求項６】
第２のピア発見期間において前記ＷＡＮ通信および前記ピアツーピア通信にサブフレームの前記値Ｋ個のブロックを割り振り、前記ＷＡＮ通信に前記第２のピア発見期間中の残りのサブフレームを割り振ることと、
前記第２のピア発見期間中の前記Ｋ個のブロックの各ブロックにおいて、前記ピアツーピア通信にサブフレームの第３のセットを割り振り、前記ＷＡＮ通信にサブフレームの第４のセットを割り振ることと、
をさらに備える、請求項２に記載の方法。
【請求項７】
前記第２のピア発見期間において前記ＷＡＮ通信にサブフレームの前記第４のセットを割り振ることは、前記ピアツーピア通信のためのｎ個の隣接サブフレームの少なくとも１つのセットの各々の後に前記ＷＡＮ通信のためのｍ個のサブフレームが続くように、前記第２のピア発見期間中の前記Ｋ個のブロックの各々において前記ＷＡＮ通信にｍ×Ｌ個のサブフレームを割り振ることを備え、Ｌは、前記Ｋ個のブロックの各々中の、前記ｍ個のサブフレームが続く前記ｎ個の隣接サブフレームのセットの数を表し、Ｔは、前記第２のピア発見期間の時間期間であり、ｎは、整数である、請求項６に記載の方法。
【請求項８】
ｋがｎに等しい、請求項７に記載の方法。
【請求項９】
ｋがｎに等しくない、請求項７に記載の方法。
【請求項１０】
ｋが３に等しく、ｍが１に等しく、Ｋが１に等しい、請求項２に記載の方法。
【請求項１１】
発展型ノードＢ（ｅＮＢ）からＴ、Ｋ、ｋ、ｎ、ｍ、またはＬのうちの少なくとも１つについての値を受信することをさらに備える、請求項７に記載の方法。
【請求項１２】
システム情報ブロック（ＳＩＢ）においてＴ、Ｋ、ｋ、ｎ、ｍ、またはＬのうちの少なくとも１つについての値を１つまたは複数のＵＥに送信することをさらに備える、請求項７に記載の方法。
【請求項１３】
前記Ｋ個のブロックの各ブロック中の前記ＷＡＮ通信のためのサブフレームの前記第２のセットが、ＵＥによって送信されたアップリンク通信を受信するためのものである、請求項１に記載の方法。
【請求項１４】
ワイヤレス通信のための基地局であって、
ＵＥへの電力供給をオンおよびオフにすることに起因して消費される電力、遅延センシティブなトラフィックの割合、ハイブリッド自動再送要求（ＨＡＲＱ）送信、またはエリアのＵＥの密度のうちの少なくとも１つに基づいて、整数値Ｋを決定するための手段と、
ピア発見期間においてＷＡＮ通信およびピアツーピア通信にサブフレームの前記整数値Ｋ個のブロックを割り振り、前記ＷＡＮ通信に前記ピア発見期間中の残りのサブフレームを割り振るための手段と、前記Ｋ個のブロックの各ブロックは、複数のサブフレームを備える、
前記Ｋ個のブロックの各ブロックにおいて、前記ピアツーピア通信に前記複数のサブフレームのうちのサブフレームの第１のセットを割り振り、前記ＷＡＮ通信に前記複数のサブフレームのうちのサブフレームの第２のセットを割り振るための手段と、
サブフレームの前記Ｋ個のブロックの各々において前記ＷＡＮ通信に割り振られたサブフレームの前記第２のセットのうちの１つまたは複数のサブフレーム中、ＵＥからのアップリンク送信を監視するための手段と、
を備える基地局。
【請求項１５】
前記ＷＡＮ通信にサブフレームの前記第２のセットを割り振るための前記手段は、前記ピアツーピア通信のためのｋ個の隣接サブフレームの少なくとも１つのセットの各々の後に前記ＷＡＮ通信のためのｍ個のサブフレームが続くように、前記Ｋ個のブロックの各々において前記ＷＡＮ通信にｍ×Ｌ個のサブフレームを割り振るように構成され、Ｌは、前記Ｋ個のブロックの各々中の、前記ｍ個のサブフレームが続く前記ｋ個の隣接サブフレームのセットの数を表し、ｍ、Ｌ、およびｋは、整数である、請求項１４に記載の基地局。
【請求項１６】
サブフレームの前記Ｋ個のブロックの各々中の、前記ＷＡＮ通信に割り振られた前記ｍ×Ｌ個のサブフレームが、音声サービス、前記ＨＡＲＱ送信、または制御情報送信のうちの少なくとも１つをサポートする、請求項１５に記載の基地局。
【請求項１７】
前記ピア発見期間内で前記ピアツーピア通信のために必要とされるＭ個のサブフレームを決定するための手段と、
サブフレームの前記Ｋ個のブロックの各々中に含まれるべきＤ個のサブフレームの最大値を決定するための手段と、ＭおよびＤは、整数である、
Ｍ≦（Ｋ×ｋ×Ｌ）およびＤ≧（ｋ＋ｍ）×Ｌとなるように、Ｋ、ｋ、ｍ、およびＬの値を設定するための手段と、
をさらに備える、請求項１５に記載の基地局。
【請求項１８】
Ｔは、前記ピア発見期間の時間期間であり、ＷＡＮトラフィックのアウテージ確率が比（Ｋ×ｋ×Ｌ）／Ｔに基づき、前記基地局が、前記ＷＡＮトラフィックの前記アウテージ確率を制御するために前記ピア発見期間を調整するための手段をさらに備える、請求項１７に記載の基地局。
【請求項１９】
第２のピア発見期間において前記ＷＡＮ通信および前記ピアツーピア通信にサブフレームの前記値Ｋ個のブロックを割り振り、前記ＷＡＮ通信に前記第２のピア発見期間中の残りのサブフレームを割り振るための手段と、
前記第２のピア発見期間中の前記Ｋ個のブロックの各ブロックにおいて、前記ピアツーピア通信にサブフレームの第３のセットを割り振り、前記ＷＡＮ通信にサブフレームの第４のセットを割り振るための手段と、
をさらに備える、請求項１５に記載の基地局。
【請求項２０】
前記第２のピア発見期間において前記ＷＡＮ通信にサブフレームの前記第４のセットを割り振るための前記手段は、前記ピアツーピア通信のためのｎ個の隣接サブフレームの少なくとも１つのセットの各々の後に前記ＷＡＮ通信のためのｍ個のサブフレームが続くように、前記第２のピア発見期間中の前記Ｋ個のブロックの各々において前記ＷＡＮ通信にｍ×Ｌ個のサブフレームを割り振るように構成され、Ｌは、前記Ｋ個のブロックの各々中の、前記ｍ個のサブフレームが続く前記ｎ個の隣接サブフレームのセットの数を表し、Ｔは、前記第２のピア発見期間の時間期間であり、ｎは、整数である、請求項１９に記載の基地局。
【請求項２１】
ｋがｎに等しい、請求項２０に記載の基地局。
【請求項２２】
ｋがｎに等しくない、請求項２０に記載の基地局。
【請求項２３】
ｋが３に等しく、ｍが１に等しく、Ｋが１に等しい、請求項１５に記載の基地局。
【請求項２４】
発展型ノードＢ（ｅＮＢ）からＴ、Ｋ、ｋ、ｎ、ｍ、またはＬのうちの少なくとも１つについての値を受信するための手段をさらに備える、請求項２０に記載の基地局。
【請求項２５】
システム情報ブロック（ＳＩＢ）においてＴ、Ｋ、ｋ、ｎ、ｍ、またはＬのうちの少なくとも１つについての値を１つまたは複数のＵＥに送信するための手段をさらに備える、請求項２０に記載の基地局。
【請求項２６】
前記Ｋ個のブロックの各ブロック中の前記ＷＡＮ通信のためのサブフレームの前記第２のセットが、ＵＥによって送信されたアップリンク通信を受信するためのものである、請求項１４に記載の基地局。
【請求項２７】
ワイヤレス通信のための基地局であって、
ＵＥへの電力供給をオンおよびオフにすることに起因して消費される電力、遅延センシティブなトラフィックの割合、ハイブリッド自動再送要求（ＨＡＲＱ）送信、またはエリアのＵＥの密度のうちの少なくとも１つに基づいて、整数値Ｋを決定するように構成された決定モジュールと、
ピア発見期間においてＷＡＮ通信およびピアツーピア通信にサブフレームの前記整数値Ｋ個のブロックを割り振り、前記ＷＡＮ通信に前記ピア発見期間中の残りのサブフレームを割り振ることと、前記Ｋ個のブロックの各ブロックは、複数のサブフレームを備える、
前記Ｋ個のブロックの各ブロックにおいて、前記ピアツーピア通信に前記複数のサブフレームのうちのサブフレームの第１のセットを割り振り、前記ＷＡＮ通信に前記複数のサブフレームのうちのサブフレームの第２のセットを割り振ることと、
を行うように構成された割振りモジュールと、
サブフレームの前記Ｋ個のブロックの各々において前記ＷＡＮ通信に割り振られたサブフレームの前記第２のセットのうちの１つまたは複数のサブフレーム中、ＵＥからのアップリンク送信を監視するように構成された監視モジュールと、
を備える基地局。
【請求項２８】
前記ピアツーピア通信のためのｋ個の隣接サブフレームの少なくとも１つのセットの各々の後に前記ＷＡＮ通信のためのｍ個のサブフレームが続くように、ｍ×Ｌ個のサブフレームが前記Ｋ個のブロックの各々において前記ＷＡＮ通信に割り振られ、Ｌは、前記Ｋ個のブロックの各々中の、前記ｍ個のサブフレームが続く前記ｋ個の隣接サブフレームのセットの数を表し、ｍ、Ｌ、およびｋは、整数である、請求項２７に記載の基地局。
【請求項２９】
サブフレームの前記Ｋ個のブロックの各々中の、前記ＷＡＮ通信に割り振られた前記ｍ×Ｌ個のサブフレームが、音声サービス、前記ＨＡＲＱ送信、または制御情報送信のうちの少なくとも１つをサポートする、請求項２８に記載の基地局。
【請求項３０】
前記決定モジュールは、
前記ピア発見期間内で前記ピアツーピア通信のために必要とされるＭ個のサブフレームを決定することと、
サブフレームの前記Ｋ個のブロックの各々中に含まれるべきＤ個のサブフレームの最大値を決定することと、ＭおよびＤは、整数である、
を行うようにさらに構成され、
Ｍ≦（Ｋ×ｋ×Ｌ）およびＤ≧（ｋ＋ｍ）×Ｌとなるように、Ｋ、ｋ、ｍ、およびＬの値を設定するように構成された設定モジュール、請求項２８に記載の基地局。
【請求項３１】
Ｔは、前記ピア発見期間の時間期間であり、ＷＡＮトラフィックのアウテージ確率が比（Ｋ×ｋ×Ｌ）／Ｔに基づき、前記基地局が、前記ＷＡＮトラフィックの前記アウテージ確率を制御するために前記ピア発見期間を調整するように構成された調整モジュールをさらに備える、請求項３０に記載の基地局。
【請求項３２】
前記割振りモジュールが、
第２のピア発見期間において前記ＷＡＮ通信および前記ピアツーピア通信にサブフレームの前記値Ｋ個のブロックを割り振り、前記ＷＡＮ通信に前記第２のピア発見期間中の残りのサブフレームを割り振ることと、
前記第２のピア発見期間中の前記Ｋ個のブロックの各ブロックにおいて、前記ピアツーピア通信にサブフレームの第３のセットを割り振り、前記ＷＡＮ通信にサブフレームの第４のセットを割り振ることと、
を行うようにさらに構成された、請求項２８に記載の基地局。
【請求項３３】
前記第２のピア発見期間において前記ＷＡＮ通信にサブフレームの前記第４のセットを割り振るために、前記割振りモジュールは、前記ピアツーピア通信のためのｎ個の隣接サブフレームの少なくとも１つのセットの各々の後に前記ＷＡＮ通信のためのｍ個のサブフレームが続くように、前記第２のピア発見期間中の前記Ｋ個のブロックの各々において前記ＷＡＮ通信にｍ×Ｌ個のサブフレームを割り振るようにさらに構成され、Ｌは、前記Ｋ個のブロックの各々中の、前記ｍ個のサブフレームが続く前記ｎ個の隣接サブフレームのセットの数を表し、Ｔは、前記第２のピア発見期間の時間期間であり、ｎは、整数である、請求項３２に記載の基地局。
【請求項３４】
ｋがｎに等しい、請求項３３に記載の基地局。
【請求項３５】
ｋがｎに等しくない、請求項３３に記載の基地局。
【請求項３６】
ｋが３に等しく、ｍが１に等しく、Ｋが１に等しい、請求項２８に記載の基地局。
【請求項３７】
発展型ノードＢ（ｅＮＢ）からＴ、Ｋ、ｋ、ｎ、ｍ、またはＬのうちの少なくとも１つについての値を受信するように構成された受信モジュールをさらに備える、請求項３３に記載の基地局。
【請求項３８】
システム情報ブロック（ＳＩＢ）においてＴ、Ｋ、ｋ、ｎ、ｍ、またはＬのうちの少なくとも１つについての値を１つまたは複数のＵＥに送信するように構成された送信モジュールをさらに備える、請求項３３に記載の基地局。
【請求項３９】
前記Ｋ個のブロックの各ブロック中の前記ＷＡＮ通信のためのサブフレームの前記第２のセットが、ＵＥによって送信されたアップリンク通信を受信するためのものである、請求項２７に記載の基地局。
【請求項４０】
基地局の少なくとも１つのプロセッサ上で実行するためのコンピュータ実行可能なコードを記憶するコンピュータ可読媒体であって、
ＵＥへの電力供給をオンおよびオフにすることに起因して消費される電力、遅延センシティブなトラフィックの割合、ハイブリッド自動再送要求（ＨＡＲＱ）送信、またはエリアのＵＥの密度のうちの少なくとも１つに基づいて、整数値Ｋを決定することと、
ピア発見期間においてＷＡＮ通信およびピアツーピア通信にサブフレームの前記整数値Ｋ個のブロックを割り振り、前記ＷＡＮ通信に前記ピア発見期間中の残りのサブフレームを割り振ることと、前記Ｋ個のブロックの各ブロックは、複数のサブフレームを備える、
前記Ｋ個のブロックの各ブロックにおいて、前記ピアツーピア通信に前記複数のサブフレームのうちのサブフレームの第１のセットを割り振り、前記ＷＡＮ通信に前記複数のサブフレームのうちのサブフレームの第２のセットを割り振ることと、
サブフレームの前記Ｋ個のブロックの各々において前記ＷＡＮ通信に割り振られたサブフレームの前記第２のセットのうちの１つまたは複数のサブフレーム中、ＵＥからのアップリンク送信を監視することと、
を行うためのコードを備える、
コンピュータ可読媒体。
【請求項４１】
前記ＷＡＮ通信にサブフレームの前記第２のセットを割り振るための前記コードは、前記ピアツーピア通信のためのｋ個の隣接サブフレームの少なくとも１つのセットの各々の後に前記ＷＡＮ通信のためのｍ個のサブフレームが続くように、前記Ｋ個のブロックの各々において前記ＷＡＮ通信にｍ×Ｌ個のサブフレームを割り振るように構成され、Ｌは、前記Ｋ個のブロックの各々中の、前記ｍ個のサブフレームが続く前記ｋ個の隣接サブフレームのセットの数を表し、ｍ、Ｌ、およびｋは、整数である、請求項４０に記載のコンピュータ可読媒体。
【請求項４２】
サブフレームの前記Ｋ個のブロックの各々中の、前記ＷＡＮ通信に割り振られた前記ｍ×Ｌ個のサブフレームが、音声サービス、前記ＨＡＲＱ送信、または制御情報送信のうちの少なくとも１つをサポートする、請求項４１に記載のコンピュータ可読媒体。
【請求項４３】
前記ピア発見期間内で前記ピアツーピア通信のために必要とされるＭ個のサブフレームを決定することと、
サブフレームの前記Ｋ個のブロックの各々中に含まれるべきＤ個のサブフレームの最大値を決定することと、ＭおよびＤは、整数である、
Ｍ≦（Ｋ×ｋ×Ｌ）およびＤ≧（ｋ＋ｍ）×Ｌとなるように、Ｋ、ｋ、ｍ、およびＬの値を設定することと、
を行うためのコードをさらに備える、請求項４１に記載のコンピュータ可読媒体。
【請求項４４】
Ｔは、前記ピア発見期間の時間期間であり、ＷＡＮトラフィックのアウテージ確率が比（Ｋ×ｋ×Ｌ）／Ｔに基づき、前記コンピュータ可読媒体が、前記ＷＡＮトラフィックの前記アウテージ確率を制御するために前記ピア発見期間を調整するためのコードをさらに備える、請求項４３に記載のコンピュータ可読媒体。
【請求項４５】
第２のピア発見期間において前記ＷＡＮ通信および前記ピアツーピア通信にサブフレームの前記値Ｋ個のブロックを割り振り、前記ＷＡＮ通信に前記第２のピア発見期間中の残りのサブフレームを割り振ることと、
前記第２のピア発見期間中の前記Ｋ個のブロックの各ブロックにおいて、前記ピアツーピア通信にサブフレームの第３のセットを割り振り、前記ＷＡＮ通信にサブフレームの第４のセットを割り振ることと、
を行うためのコードをさらに備える、請求項４１に記載のコンピュータ可読媒体。
【請求項４６】
前記第２のピア発見期間において前記ＷＡＮ通信にサブフレームの前記第４のセットを割り振るための前記コードは、前記ピアツーピア通信のためのｎ個の隣接サブフレームの少なくとも１つのセットの各々の後に前記ＷＡＮ通信のためのｍ個のサブフレームが続くように、前記第２のピア発見期間中の前記Ｋ個のブロックの各々において前記ＷＡＮ通信にｍ×Ｌ個のサブフレームを割り振るように構成され、Ｌは、前記Ｋ個のブロックの各々中の、前記ｍ個のサブフレームが続く前記ｎ個の隣接サブフレームのセットの数を表し、Ｔは、前記第２のピア発見期間の時間期間であり、ｎは、整数である、請求項４５に記載のコンピュータ可読媒体。
【請求項４７】
ｋがｎに等しい、請求項４６に記載のコンピュータ可読媒体。
【請求項４８】
ｋがｎに等しくない、請求項４６に記載のコンピュータ可読媒体。
【請求項４９】
ｋが３に等しく、ｍが１に等しく、Ｋが１に等しい、請求項４１に記載のコンピュータ可読媒体。
【請求項５０】
発展型ノードＢ（ｅＮＢ）からＴ、Ｋ、ｋ、ｎ、ｍ、またはＬのうちの少なくとも１つについての値を受信するためのコードをさらに備える、請求項４６に記載のコンピュータ可読媒体。
【請求項５１】
システム情報ブロック（ＳＩＢ）においてＴ、Ｋ、ｋ、ｎ、ｍ、またはＬのうちの少なくとも１つについての値を１つまたは複数のＵＥに送信するためのコードをさらに備える、請求項４６に記載のコンピュータ可読媒体。
【請求項５２】
前記Ｋ個のブロックの各ブロック中の前記ＷＡＮ通信のためのサブフレームの前記第２のセットが、ＵＥによって送信されたアップリンク通信を受信するためのものである、請求項４０に記載のコンピュータ可読媒体。